(57)【特許請求の範囲】
【請求項１】
ユーザーイクイップメント（ＵＥ）であって、
通信のために無線ローカルエリアネットワーク（ＷＬＡＮ）にアクセスする最大確率を受信する工程であって、前記最大確率は、進化型ユニバーサル地上無線アクセスネットワーク（Ｅ−ＵＴＲＡＮ）ノードＢ（ｅＮＢ）との第３世代パートナーシッププロジェクト（３ＧＰＰ）通信リンクを介して受信される、工程と、
前記ＵＥのためにキューに入れられた送信があることを決定する工程と、
キューに入れられた送信があるという決定に応答して、前記ＵＥが前記最大確率以下の確率を用いて前記ＷＬＡＮへのアクセスを許可されるか否かを決定する工程と、
前記ＵＥが許可されないという決定に応答して、少なくともプレバックオフ継続時間において前記ＷＬＡＮへのアクセスの競合ベースのアクセスを遅らせる工程と、
を実行するように構成される、ユーザーイクイップメント（ＵＥ）。
【請求項２】
更に、更新された最大確率を受信するように構成され、
前記ＵＥが前記ＷＬＡＮへのアクセスを許可されるか否かを決定する工程は、前記更新された最大確率に基づいて決定する工程を含む、
請求項１に記載のＵＥ。
【請求項３】
前記プレバックオフ継続時間は、前記ＷＬＡＮ上の最大媒体アクセス制御（ＭＡＣ）送信継続時間に対応する期間を含む、
請求項１に記載のＵＥ。
【請求項４】
更に、前記プレバックオフ継続時間の終わりに再度前記ＵＥが前記ＷＬＡＮにアクセスすることを許可されるか否かを決定するように構成される、
請求項１に記載のＵＥ。
【請求項５】
前記ＵＥが許可されるという決定に応答して、前記ＷＬＡＮへのアクセスのためにアクセスするように構成される、
請求項１に記載のＵＥ。
【請求項６】
前記ＷＬＡＮは無線アクセスポイントを含み、
前記ＵＥは更に、前記ｅＮＢ及び前記無線アクセスポイントを伴うスモールセルとの通信セッションを確立するように構成される、
請求項１に記載のＵＥ。
【請求項７】
前記ＷＬＡＮでの輻輳と、データストリームのサービス品質の要件と、前記ＵＥの１以上のアプリケーションの現在の通信需要とのうち１以上に基づいて、確率を決定するように更に構成され、前記確率は前記最大確率以下である、
請求項１に記載のＵＥ。
【請求項８】
ライセンス無線スペクトル及びアンライセンス無線スペクトルによりスモールセルと通信するように構成される通信コンポーネントであって、前記スモールセルとの通信は、前記ライセンス無線スペクトルにより制御レイヤデータの少なくとも一部を伝達することと、前記アンライセンス無線スペクトルによりユーザーレイヤデータの少なくとも一部を伝達することとを含む、通信コンポーネントと、
前記ライセンス無線スペクトル上で、前記アンライセンス無線スペクトルを用いる通信のアクセス設定を受信するように構成される制御レイヤコンポーネントであって、前記アクセス設定は、前記アンライセンス無線スペクトルによりアップリンク（ＵＬ）方向で通信する確率を含む、制御レイヤコンポーネントと、
前記アクセス設定に基づいて、前記アンライセンス無線スペクトルによる通信を管理するように構成されるデータレイヤコンポーネントと、
を備える無線通信装置であって、
前記データレイヤコンポーネントは、前記確率に基づいて、前記無線通信装置が前記アンライセンス無線スペクトルへのＵＬアクセスのためにアクセスすることを許可されるか否かを決定するように構成され、
前記無線通信装置がＵＬアクセスのためにアクセスすることを許可されないという決定に応答して、前記データレイヤコンポーネントは更に、プレバックオフ期間を待った後に再度前記無線通信装置が許可されるか否かを決定するように構成される、
無線通信装置。
【請求項９】
前記無線通信装置がＵＬアクセスのためにアクセスすることを許可されるという決定に応答して、前記データレイヤコンポーネントは更に、ＵＬアクセスのためにアクセスするように構成される、
請求項８に記載の無線通信装置。
【請求項１０】
前記制御レイヤコンポーネントは更に、前記ライセンス無線スペクトル上で、前記アンライセンス無線スペクトルによりダウンリンク（ＤＬ）方向で通信する確率を含むアクセス設定を受信するように構成される、
請求項８に記載の無線通信装置。
【請求項１１】
前記データレイヤコンポーネントは、共有期間中に確率的アクセスに基づいてＵＬ及びＤＬ通信のアクセスのためにアクセスするように構成される
請求項８に記載の無線通信装置。
【請求項１２】
第３世代パートナーシッププロジェクト（３ＧＰＰ）リンクを介して、ユーザーイクイップメント（ＵＥ）と通信セッションを確立するように構成される通信セッションコンポーネントと、
前記ＵＥについて非３ＧＰＰアクセスポイントと通信する最大プレバックオフ確率を決定するように構成される確率コンポーネントであって、前記最大プレバックオフ確率は、前記ＵＥがアップリンク（ＵＬ）方向で前記非３ＧＰＰアクセスポイントにデータを送信できる最大確率を示す、確率コンポーネントと、
前記ＵＥに対して前記最大プレバックオフ確率を示す無線リソース制御（ＲＲＣ）メッセージを送信するように構成される構成コンポーネントであって、前記ＵＥは、前記最大プレバックオフ確率に基づいて、前記ＵＥが少なくともプレバックオフ継続時間において送信の競合ベースのアクセスを遅らせるべきか否かを決定するように構成される、構成コンポーネントと、
を備える、進化型ユニバーサル地上無線アクセスネットワーク（Ｅ−ＵＴＲＡＮ）ノードＢ（ｅＮＢ）。
【請求項１３】
前記最大プレバックオフ確率は第１の最大プレバックオフ確率を含み、
前記通信セッションコンポーネントは、１以上の追加のＵＥと追加の通信セッションを確立するように構成され、前記構成コンポーネントは、前記１以上の追加のＵＥに対して１以上の追加の最大プレバックオフ確率を含む追加のＲＲＣメッセージを送信するように構成される、
請求項１２に記載のｅＮＢ。
【請求項１４】
前記１以上の追加の最大プレバックオフ確率は、前記最大プレバックオフ確率とは異なる確率を含む、
請求項１３に記載のｅＮＢ。
【請求項１５】
前記構成コンポーネントは、前記非３ＧＰＰネットワークに対する負荷に基づいて前記プレバックオフ継続時間を設定するように構成される、
請求項１２に記載のｅＮＢ。
【請求項１６】
前記３ＧＰＰアクセスポイントに対応するネットワーク上の輻輳を検出するように構成される輻輳コンポーネント、
を更に備える、請求項１２に記載のｅＮＢ。
【請求項１７】
前記輻輳コンポーネントは、閾値を超える二進指数バックオフ（ＢＥＢ）ウィンドウサイズに基づいて前記輻輳を検出するように構成される、
請求項１６に記載のｅＮＢ。
【請求項１８】
前記輻輳コンポーネントは、前記輻輳コンポーネントが前記輻輳を検出することに応答して、前記非３ＧＰＰアクセスポイントから前記３ＧＰＰネットワークへトラフィックを移動するように構成される、
請求項１６に記載のｅＮＢ。
【請求項１９】
前記輻輳コンポーネントは、近接するセルによって任意の干渉が発生しているか否かを決定するように構成され、
前記ｅＮＢは更に、前記ｅＮＢのコリジョンドメイン内のトラフィックを低減するように前記近接するセルと調整するように構成される調整コンポーネント、を備える、
請求項１６に記載のｅＮＢ。
【発明の詳細な説明】
【技術分野】
【０００１】
関連出願
本願は、米国特許法第１１９条の下で２０１４年３月２４出願の米国仮出願第６１／９６９７８７号（整理番号Ｐ６４８１４Ｚ）の利益を主張し、その全体を参照により本明細書に組み込む。
【０００２】
本開示は、ヘテロジニアス無線ネットワークにおける競合管理及びサービス品質推定に関する。
【図面の簡単な説明】
【０００３】
【図１】無線通信のための例示的システムを示す概略図である。
【図２】時分割方式の例を示す概略ブロック図である。
【図３】確率共有方式の例を示す概略ブロック図である。
【図４Ａ】一実施形態に係る、チャネルにアクセスする試行のための理想的なタイミングを示す概略ブロック図である。
【図４Ｂ】一実施形態に係る、一定のプレバックオフ遅延に基づくチャネルにアクセスする再試行のためのタイミングを示す概略ブロック図である
【図５Ａ】一例の負荷制御シナリオについての平均スループット及び平均媒体アクセス制御（ＭＡＣ）遅延を示すグラフ図である。
【図５Ｂ】一例の負荷制御シナリオについての平均スループット及び平均媒体アクセス制御（ＭＡＣ）遅延を示すグラフ図である。
【図６Ａ】確率アクセス方式のための例示的なアクセス確率を示す概略ブロック図である。
【図６Ｂ】図６Ａのアクセス確率に基づく平均スループットを示すグラフ図である。
【図７Ａ】アクセス確率を低下させるスモールセル間の調整の一実施形態を示す概略図である。
【図７Ｂ】アクセス確率を低下させるスモールセル間の調整の一実施形態を示す概略図である。
【図８Ａ】一実施形態に係る、不正な干渉の存在下でのスループットを示すグラフ図である。
【図８Ｂ】一実施形態に係る、不正な干渉の存在下でのスループットを示すグラフ図である。
【図９】自動負荷バランシングの一実施形態を示すグラフ図である。
【図１０】一実施形態に係るスモールセルの構成コンポーネントを示す概略ブロック図である。
【図１１】一実施形態に係るユーザーイクイップメント（ＵＥ）の構成コンポーネントを示す概略ブロック図である。
【図１２】一実施形態に係る負荷バランシングのための方法を示す概略フローチャートである。
【図１３】一例による無線装置（例えばＵＥ）の図である。
【発明を実施するための形態】
【０００４】
本開示の実施形態と一致するシステム及び方法の詳細な説明を以下に提供する。いくつかの実施形態が記載されるが、本開示は、任意の一実施形態に限定されず、その代わりに多数の代替、変更及び均等物を包含するものであることを理解されたい。加えて、本明細書に開示される実施形態の完全な理解を提供するために、以下の説明において多数の具体的な詳細が記載されるが、いくつかの実施形態は、これらの詳細の一部又は全部を伴わずに実施することができる。また、明確性のために、従来技術で知られている特定の技術的材料は、本開示が無用に不明瞭になることを避けるために、詳細に記載されていない。
【０００５】
無線モバイル通信技術は、ノード（例えば、送信局やトランシーバノード）と無線装置（例えばモバイル通信装置）との間でデータを伝送するために、様々な規格及びプロトコルを用いる。一部の無線装置は、ダウンリンク（ＤＬ）伝送では直交周波数分割多元接続（ＯＦＤＭＡ）を用い、アップリンク（ＵＬ）伝送ではシングルキャリア周波数分割多元接続（ＳＣ−ＦＤＭＡ）を用いて通信する。信号伝送に直交周波数分割多重（ＯＦＤＭ）を用いる規格及びプロトコルの例として、第３世代パートナーシッププロジェクト（３ＧＰＰ）ロングタームエボリューション（ＬＴＥ）リリース８、９及び１０、電気電子学会（ＩＥＥＥ）８０２．１６規格（例えば８０２．１６ｅや８０２．１６ｍ）（業界団体には一般にＷｉＭＡＸ（マイクロ波アクセスのための世界的な相互運用性）として知られる）、ＩＥＥＥ８０２．１１−２０１２規格（業界団体には一般にＷｉＦｉとして知られる）が挙げられる。
【０００６】
３ＧＰＰ無線アクセスネットワーク（ＲＡＮ）ＬＴＥシステムでは、ノードは、進化型ユニバーサル地上無線アクセスネットワーク（Ｅ−ＵＴＲＡＮ）ノードＢ（一般に、進化型ノードＢ、強化型ノードＢ、ｅノードＢ、ｅＮＢとも示される）と、ユーザーイクイップメント（ＵＥ）として知られる無線装置と通信する無線ネットワークコントローラ（ＲＮＣ）の組み合わせであってよい。ＤＬ送信はノード（例えばｅＮＢ）から無線デバイス（例えばＵＥ）への通信であってよく、ＵＬ送信は無線装置からノードへの通信であってよい。
【０００７】
同種ネットワークでは、ノード（マクロノード又はマクロセルとも呼ばれる）は、セル内の無線装置に基本的な無線カバレッジを提供することができる。セルは、無線装置がマクロノードと通信するように動作可能である領域であってよい。ヘテロジニアスネットワーク（ＨｅｔＮｅｔ）は、無線装置の使用及び機能の増大によるマクロノード上のトラフィック負荷の増大を処理するために採用することができる。ＨｅｔＮｅｔは、マクロノードのカバレッジエリア（セル）内であまりよく計画されずに、或いは完全に無秩序に展開されたかもしれない低電力ノード（スモールセル、スモールｅＮＢ、マイクロｅＮＢ、ピコｅＮＢ、フェムトｅＮＢ又はホームｅＮＢ［ＨｅＮＢ］）のレイヤとオーバーレイされた、計画された高電力マクロノード（マクロｅＮＢ又はマクロセル）のレイヤを含んでよい。低電力ノードは、一般に、「スモールセル」、「スモールノード」又は低電力ノードと呼ぶことができる。
【０００８】
本明細書で使用する場合、用語「ノード」及び「セル」は、両方とも同義であり、複数の無線モバイルデバイ（ＵＥ等）又は別の基地局（ｅＮＢや低電力ノード等）と通信するように動作可能な無線送信ポイントを指すことが意図される。更に、セル又はノードはＷｉＦｉ  ＡＰであってよく、或いはＷｉＦｉ／セルラ又は追加のＲＡＴの両方を含むマルチ無線セルであってもよい。例えば、ノード又はセルは、異なるＲＡＴで動作するセルが１つの統合ネットワークに統合されるように、様々な技術を有してよい。
【０００９】
図１は、統合されたマルチ無線アーキテクチャとスモールセル１０２を含む通信ネットワーク１００の一部分を示す概略ブロック図である。スモールセル１０２は、配置された無線ローカルエリアネットワーク（ＷＬＡＮ）及び３ＧＰＰインタフェースを伴う統合マルチ無線アクセス技術（ＲＡＴ）ＨｅｔＮｅｔアーキテクチャを含む。具体的には、マルチＲＡＴスモールセル１０２は、１以上のマルチＲＡＴ  ＵＥ１０８に通信サービスを提供するｅＮＢ１０４とＷＬＡＮアクセスポイント（ＡＰ）１０６を含んでよい。スモールセル１０２のようなマルチ無線スモールセルは、ＷＬＡＮが３ＧＰＰリンク上に固定された２次仮想キャリアである密結合ＷＬＡＮ／３ＧＰＰアーキテクチャを容易にする。ここで、３ＧＰＰリンク及びネットワークは制御及びモビリティアンカーを提供し、ＷＬＡＮは３ＧＰＰ制御下でデータパイプとして用いられる。つまり、ＷＬＡＮリンクは、３ＧＰＰネットワークにおける仮想キャリアとして用いられる。よって、ＷＬＡＮは、ＷＬＡＮインタフェースを変更せずに３ＧＰＰベアラがＷｉＦｉをトンネルすることができる仮想（Ｌ２）データパイプとして用いられる。アーキテクチャはＷＬＡＮとＬＴＥが併置される統合マルチ無線セルを利用してもよいが、本開示は、独自又は規格化されたインタフェースを介して接続される非併置のＷＬＡＮ／セルラーセルにも適用される。
【００１０】
ｅＮＢ１０４は、無線リソース制御（ＲＲＣ）レイヤ機能とＬＴＥデータプレーン・スタックを提供するＲＲＣコンポーネントを有する。ｅＮＢ１０４とＷＬＡＮ  ＡＰ１０６は、マルチＲＡＴ協調機能（ＭＲＣＦ）を介して相互にインタフェースされる。ＭＲＣＦは、マルチ無線リソース管理のための制御プレーンの機能と、マルチＲＡＴアダプテーションレイヤ及びルーティングのためのユーザープレーンの機能とを提供する。ブロック１１０は、一実施形態において、ＭＲＣＦがどのようにＬＴＥのデータプレーン・スタック及びＷＬＡＮのプロトコルスタックとインタフェースするのかを示す。ＬＴＥデータプレーン・スタックは、物理（ＰＨＹ）レイヤ、媒体アクセス制御（ＭＡＣ）レイヤ、無線リンク制御（ＲＬＣ）レイヤ及びパケットデータコンバージェンスプロトコル（ＰＤＣＰ）レイヤを含む。ＷＬＡＮスタックは、ＰＨＹレイヤ、ＭＡＣレイヤ、ＩＰレイヤ及びユーザーデータグラムプロトコル（ＵＤＰ）を含む。ＭＲＣＦは、ＬＴＥのＳＩインタフェース及びＰＤＣＰレイヤ、並びにＷＬＡＮのＭＡＣレイヤとインタフェースする。
【００１１】
ＵＥ１０８は、２以上のＲＡＴ（例えば３ＧＰＰ  ＲＡＴ及びＷＬＡＮ  ＲＡＴ）を用いてスモールセル１０２と通信することができるマルチＲＡＴ  ＵＥを含む。ＵＥ１０８は、３ＧＰＰリンク（例えば、マルチＲＡＴを意識したＵｕインタフェース）上でスモールセル１０２と通信するためのＬＴＥ機能と、ＷＬＡＮリンク上でスモールセル１０２と通信するためのＷＬＡＮ機能を提供する。ＵＥ１０８のＬＴＥとＷＬＡＮの機能は、ＭＲＣＦを介して相互にインタフェースする。ＵＥ１０８はまた、１以上のアプリケーションと接続マネージャを含む。
【００１２】
スモールセル１０２は、Ｘ２インタフェースを介して、１以上の他のスモールセル、マクロセルその他のノードと通信してよい。スモールセル１０２は、進化型パケットコア（ＥＰＣ）とも通信する。一実施形態では、ＷＬＡＮ  ＡＰはＬＴＥスモールセルとは別に展開されてよい。ここで、２つのノードは必要な情報を共有するためにインタフェースをもつことになる。ＥＰＣは、他の構成コンポーネント／機能のうち、モビリティ管理エンティティ（ＭＭＥ）、ホーム加入者サーバ（ＨＳＳ）、認証認可アカウンティング（ＡＡＡ）サーバ、サービングゲートウェイ、パケットデータネットワーク（ＰＤＮ）ゲートウェイ及びマルチ無線ポリシーＡＮＤＳＦ（access  network  discover  and  selection  function）を含む。ＥＰＣは、インターネット、インターネットプロトコル（ＩＰ）マルチメディアサブシステム（ＩＭＳ）及び１以上の外部コンテンツサーバーへのアクセス等の、オペレータサービスを提供する。また、スモールセル１０２は、ゲートウェイ／コントローラを介してダイレクト・インターネット・アクセスへの通信を提供する。例えば、３ＧＰＰサービスを必要としないＬＴＥ／無線ＬＡＮトラフィックのために、ローカルオフロードがサポートされる（すなわち、ＥＰＣを経由してルーティングする必要がない）。
【００１３】
出願人は、双方向トラフィックフローが共存し（例えば、ＵＬ方向とＤＬ方向の両方の伝送）、或いはリソースがネットワーク内のノードの間でどのような共有されるかを制御する必要がある場合の、多くの実用的なＨｅｔＮｅｔシナリオでのＷｉＦｉ競合管理及び負荷バランシングの必要性を認識している。会議室、レストラン、空港等の多くの人口密集地域では、通信するユーザーの数が多いので、一般にＵＬ／ＤＬの不均衡が非常に強い。全てのＵＬユーザーが１つのＷｉＦｉ  ＡＰのカバレッジエリア内に位置する例示的シナリオを検討する。従来のＷｉＦｉプロトコルではＵＬ方向とＤＬ方向の扱いが同様であるので、ＵＬユーザーとＡＰは、搬送波感知多重アクセス／コリジョン回避方式（ＣＳＭＡ／ＣＡ）を介して直接競合する。しかしながら、ＣＳＭＡ／ＣＡは、ＵＬとＤＬでの負荷が極めて非対称になり得るという事実を明示的に考慮していない。例えば、いくつかのＵＥが単一のＡＰに接続し同じチャネル上にある場合を検討し、それらのＵＥがフルバッファトラフィックを流すと仮定する（飽和負荷状況）。このケースでは、公正競合後の各特定ユーザーの実効スループットは１／Nにほぼ比例することになる。式中、Nはシステム内のアクティブユーザーの数である（＋ＡＰ）。ここでは、ＡＰのスループットも１／Nに比例することになるが、ＤＬ方向の実際のスループット要求はN＊Tnのオーダーになり得る。Tnは、各々の（同一の）ユーザーのＤＬトラフィック要求である。
【００１４】
上記のシナリオは、高負荷のシナリオにおいて、ＤＬに必要なスループットを、ユーザーごとのＵＬのスループットよりもはるかに高くする必要があるかもしれないことを示す。一方、実際のプロトコル動作では、ＤＬ上のスループットは、システム内のユーザー数の増加に伴ってゼロになる。従来のＷｉＦｉチャネルアクセス方式では、この競合は、本質的に２つの異なるメカニズムによって管理され得る。１つ目は、ポイント調整機能（ＰＣＦ）その他の同様の機能である。ＰＣＦでは、全てのユーザー局が無競合ポーリング（ＣＦＰ）機構を採用する。ＰＣＦは、ＷＬＡＮ機器には広く実装されていない。２つ目は、８０２．１ｌｅサービス品質（ＱｏＳ）の機能の一部であるWireless  Multimedia  Extensions（WME）である。ＷＭＥの動作の一般原理は、そのＱｏＳに基づくトラフィックの確率的優先順位付けである。例えば、マルチメディアストリーミングがＷｅｂブラウジングフローよりも優先される場合がある。例えば、“"Wi-Fi  CERTIFIED  for  WMM-Support  for  Multimedia  Applications  with  Quality  of  Service  in  Wi-Fi  Networks”（Ｗｉ−Ｆｉアライアンス、２００４年９月１日）を参照されたい。しかしながら、これらのＷＭＥ方式はトラフィックフロー全体の優先順位を制御するものであり、ネットワーク内の特定のノード／ユーザーによって導入された競合を制御するとは限らない。他にも、ＤＬ／ＵＬ  ＷｉＦｉ伝送を調整するための代替案がある。しかしながら、ほとんどの場合、重要なプロトコルの変更が必要となるか、現在のハードウェアで簡単に実施することができない。
【００１５】
本開示において、出願人は、ＨｅｔＮｅｔにおけるＷＬＡＮのＱｏＳの制御を改善するための様々なシステム、方法及び装置を提示する。一実施形態では、ＷＬＡＮネットワークのＵＬとＤＬとの間の競合を、ＬＴＥ制御リンク（または他のＲＡＴ）を介して管理することができる。追加の実施形態は、ネットワーク内ＷＬＡＮ競合と、利用可能なＷＬＡＮ（及び３ＧＰＰ）リソース間の負荷バランスとの管理を含むことができる（例えば、複数のマルチＲＡＴスモールセル間、３ＧＰＰコントローラによって管理されているＷＬＡＮセル間）。更に、本明細書に提示される方法は、不正な干渉（ネットワーク１００によって制御されない干渉）の存在下でＷＬＡＮ  ＱｏＳを推定するまでに拡張することができ、３ＧＰＰリンクを用いてＷＬＡＮ  ＱｏＳの任意の低下を軽減することができる。
【００１６】
一実施形態では、統合された（又はマルチＲＡＴ）スモールセルの使用により、共通制御インタフェースを介して情報交換を制御する機会と共に、２つのインタフェース間のより緊密な調整が可能になる。これらの利点は、本明細書に提供される教示に基づいて、任意のアクセスプロトコルの変更（例えば、ＷＬＡＮのＲＡＴ又は規格への変更）をせずに、達成することができる。統合されたマルチＲＡＴ  ＨｅｔＮｅｔの展開にＬＴＥの支援を利用して、本開示は、ＵＬ／ＤＬ（より一般的にはネットワーク内ＷＬＡＮ）の競合を制御するための効率的なメカニズムを提案する。一実施形態では、方法及び機能はＭＡＣレイヤよりも上で動作し、ＵＬ（ユーザー間）とＤＬの効果的な容量のバランスをとるために、マルチＲＡＴスモールセル上の現在の負荷とユーザー間のトラフィックの混在についての情報を利用する。一実施形態では、方法は、統合スモールセルでの現在のトラフィック需要に従って、そのトラフィック需要に基づいてＤＬ及びＵＬのユーザーへの送信の確率を割り当てることにより、ＷＬＡＮ  ＵＬ／ＤＬの容量を分割することを含む。一実施形態では、割り当てられた容量は、Ｘ２インタフェースを介する統合されたスモールセル間の連携により、ネットワーク内の異なるセルにわたって分割されてよい。
【００１７】
ＵＬ／ＤＬ  ＷＬＡＮリンクにおいてＷＬＡＮ容量を分割する方法はいくつかある（例えば、伝送や確率的共有のための時分割スケジューリング）。一実施形態では、本出願人は、このような容量割当てのためにプレバックオフ機構を提案する。例えば、ネットワークは、ＬＴＥリンクを用いて、ＷＬＡＮリンク上の各ＵＥについてＤＬ及びＵＬ伝送の確率を割り当てることができる。本開示において、本出願人は、これが統合されたシステムに容量を分割する有効な方法であることを示す。
【００１８】
本明細書に開示される方法、システム及び装置は、現在及びその他の提案される機能よりも優れた多くの利点と利益を提供することができる。第１の例示的な利点は、ＷＬＡＮ  ＱｏＳを信頼性の高い３ＧＰＰリンク上でオペレータを介して管理することができるという点である。第２の例示的な利点は、複雑な競合管理ソリューションを必要とせず、また、ＷＬＡＮ  ＭＡＣレイヤプロトコルに対する変更を必要とせずに、単純な確率的方法により、ＬＴＥの支援を用いてＵＬ／ＤＬの負荷及びネットワーク内競合を目標水準に管理できるという点である。容量の分割は、スモールセルに関連付けられたユーザーの現在のトラフィック需要に基づいて動的に調整することができる（或いは、利用可能なＷＬＡＮの容量を制御することに基づいて、共同でアドミッション制御が実行されてよい）。第３の例示的な利点は、ＵＥ単位の容量をＬＴＥ制御により設定することができるという点であり、これは既存のＷＬＡＮ制御機構では不可能である。容量の設定は、特定のＵＥについて構成されたＵＬトラフィックの割合の期待値に依存してよい。
【００１９】
第４の例示的な利点は、実施形態は、Ｘ２インタフェースを介する連携により、オペレータによって管理される他のＷＬＡＮ  ＡＰ間におけるネットワーク内競合を制御するように拡張することができるという点である。より一般的には、連携するオペレータは、それらの間で利用可能な容量が等しく共有されるように、伝送容量を設定することにより、ＷＬＡＮリソースの使用量を調整することができる場合がある。第５の例示的な利点は、ネットワークに設定された目標水準に競合が制御されると過負荷の推定を用いてネットワーク内の不正な干渉を検出することができ、過負荷に対処するために適切なアクションをとることができるという点である（例えば、３ＧＰＰネットワーク又はリンクにトラフィックフロー又はユーザーを移動させることにより）。本開示は統合された３ＧＰＰ−ＷＬＡＮ展開を伴うシナリオにおける多くの実施形態について説明するが、本開示は、類似する機能を、あるＲＡＴは競合を伴わず別のＲＡＴは競合を伴うという他のＲＡＴの組合わせに拡張することができることを企図する。更に、本開示はまた、競合ベース又は非競合ベースの機構を利用する異なるＲＡＴを異なるノードが実装するような統合されたマルチＲＡＴ展開がない展開を企図及び包含する。
【００２０】
更なる議論及び例示的実施形態の詳細を以下に提供する。
【００２１】
現在のＷｉＦｉの実装の欠点に基づき、本出願人らは、負荷バランシング方式について以下の例示的な要件を提供する。第１に、ＵＬユーザーの数及びそれらの負荷から独立して、ＤＬ方向のスループット（Tdl）を維持する（例えばTdlは一定である）。第２に、ＤＬ  ＭＡＣ遅延（Ddl）が特定の閾値を下回ることを防止する（任意のＤＬトラフィックが送信されている場合）（例えば、Ddlは閾値Ｌ未満である）。当業者であれば認識できるように、本開示の範囲から逸脱することなく、上記の要件の代わり又は追加として種々の他の要件を用いることができる。
【００２２】
上記の要件又は他の要件に従う負荷バランシングの実施は、種々の方法で行うことができる。負荷バランシング実現する第１の方法は時分割容量共有であり、これは時分割複信（ＴＤＤ）の一種とみなすことができ、ＵＬ方向及びＤＬ方向は通信時間の割合を割り当てられてよい。例えば、ＤＬ送信はＵＬ送信が発生できない期間を割り当てられてよく、ＵＬ送信は、ＵＬ送信とＤＬ送信の両方が発生し得る別の期間を割り当てられてよい。期間の相対的な長さは、例えば、ＵＬ方向にどれくらいのトラフィックが許可されるかを制限することができる。しかしながら、ＴＤＤには、同期の問題や適切な時間スケーリングの選択等の、いくつかの欠点がある。更に、ユーザーの頻繁なタイムスイッチは、ほぼ確実にＷｉＦｉプロトコルの実装と競合する。ＴＤＤ方式の動作原理の一例を図２に示す。具体的には、図２は、ＤＬ送受信にのみ割り当てられた第１の期間２０２と、ＵＬ送信とＤＬ送信の両方が許可される第２の期間２０４とを示すブロック図である。
【００２３】
一実施形態では、負荷バランシングは確率的共有を用いて実施することができる。この実施形態は、ＷｉＦｉ規格を変更せずに負荷バランシングを可能にすることができる。例えば、いくつかの実施形態では、現在のプロトコルのＭＡＣレイヤの動作を変更することは望ましくないか、或いは困難な場合がある。よって、ＵＬ／ＤＬの負荷バランシングは、専用の制御ユニット（例えば、ＭＲＣＦを実施するユニット）により、ＭＡＣレイヤの上に行うことができ、それはＵＥ１０８とスモールセル１０２の両方に存在してよい。確率的共有は、ＵＬ送信及びＤＬ送信が同じ期間内の任意の時間に送信され得るが確率に基づいて制限されるように、ＵＬ送信又はＤＬ送信のうち１以上に確率を割り当てることを含む。よって、ＵＬ又はＤＬは同じ期間中に利用可能であるかもしれないが、ＵＬ方向の送信が発生するか否かは割り当てられた確率に基づく。確率的共有の例を図３に示す。具体的には、図３は、ＵＬ通信とＤＬ通信の両方がアクセス手続きを開始することができる時間ブロック３０２を伴う第１のグラフ図３００と、ＤＬ通信がPulの確率でアクセス手続きの開始を許可され、且つＵＬ通信がPdlの確率でスケジュールされることを示す第２のグラフ図３０４とを含む。具体的な例では、Pul＝７０％且つPdl＝１００％であり、これにより、ＤＬスループットTulのTul＝７０／（１００＋７０）&#8773;全体スループットToverallの４１％が導かれる。
【００２４】
一実施形態では、プレバックオフ遅延を伴う確率的アクセス原理が用いられ、ＵＥが特定の確率Ｐでチャネルへのアクセスを許可される。実際には、これは、実際のＷｉＦｉ  ＭＡＣ競合ベースの手続きを開始する前に、ＵＥ（又はＡＰ）が、アクセスのために競合するかどうかを、確率値を用いて決定することができることを意味する。ＵＥが許可されていないことを確率計算が示す場合、ＵＥは、いくつかの追加のプレバックオフ期間Ｔ（所与の確率Ｐによって制御される）において競合に入ることを延期し、その後、該チャネルへのアクセスを試行又は再試行する。現在のＷｉＦｉの動作と比較すると、競合手続きが開始する前であっても、いくつかの追加の遅延が一定の割合のユーザーに導入される。この確率計算は、ネットワークにアクセスする手続きを開始して信号を送信する前に、ＵＥ又は他の装置で行うことができる。
【００２５】
アクセスについて競合する（或いは、ＵＥが競合を許可されているか否かを確認するために確率を再評価する）前の遅延の長さ（すなわちプレバックオフ期間T）は、次のＭＡＣレイヤ伝送が終了することになっているときの時間量と一致する必要がある。図４Ａは、デバイスが認可されていないことを確率計算が示した後にチャネルへのアクセスを再試行するための理想的なタイミングの一例を示す図である。第１の時間４０２は、チャネルにアクセスする（或いは、チャネルにアクセスするための確率を計算する）第１の試行を示す。第２の時間４０４は、前のＤＬ送信４０６の終了直後に続くであろう２回目の試行のタイミングを示す。しかしながら、実際的に言えば、このような正確な瞬間は測定が困難であり、報告することは更に困難であるかもしれない。したがって、一実施形態では、プレバックオフ期間Tは一定値をもつ。一定値を採用する場合、チャネルにアクセスする試行が早すぎる場合も遅すぎる場合もあるだろう。図４Ｂは、ＤＬ送信４０６の間にＵＬチャネルアクセス再試行４０８の発生が早すぎた例示的な状況を示す。プレバックオフ期間Ｔ４１０が示される。しかしながら、最適なTの値を選択することにより、コリジョン及び無駄な時間を低減することができる。プレバックオフ期間の最適値は多くの要因に依存し得るが、T＝ｍａｘＴＸＯＰの単純なケースでは、値は実現可能な選択でなければならない（ここで、ｍａｘＴＸＯＰは、ＵＥに与えられた最大のＷｉＦｉ  ＭＡＣ伝送継続時間である）。
【００２６】
プレバックオフ遅延を伴う上記の確率的アクセス方式を用いて、ＵＬ／ＤＬの負荷バランシングの一例のシナリオを検討する。ここでは、ＤＬアクセス確率がPdl＝１００％である一方、ＵＬ  ＵＥの送信する確率がPul＝２０％である。なお、PulとPdlは、ＵＥがアクセス手続きを開始することができる確率を示してよく、或いは、ＵＥがチャネルにアクセスできるようになる確率であってよい。このケースでは、効率的な負荷制御のために、個別のＵＬユーザーｎが送信する確率は、ＵＬユーザーの総数に比例しなければならない（例えばPul_n＝Pul／N）。このケースでは、上記に提案した方式は、Tul＝T＊Pul／（Pdl＋Pul）（図３参照）となるように、効果的なＵＬチャネルのスループットTulを直接制御し得る。式中、Tは総チャネルスループットであり、TulはＵＬスループットである。ＤＬスループットTdl（ＭＡＣ遅延と同様に）は、ほぼ一定のままであり、Tdl＝T−Tulと等しい。係るシステムのスループット及び遅延を図５Ａ及び図５Ｂに示す。
【００２７】
図５Ａ及び図５Ｂは、１つのＡＰと該ＡＰの周りの小半径で展開される様々な数のユーザー（クラスタあたりのユーザー）とを用いる単純なシナリオを示す。これらのグラフから、ＤＬの遅延及びスループットが一定であり（目標とされる条件を満たす）、Tul値が予測された値に非常に近いことが分かる。しかしながら、先に述べた現実的なプレバックオフ値が採用されたので、小さな不等が存在する。
【００２８】
いくつかの実施形態では、Pdl＝１００％の代わりに、Pul＋Pdl＝１００％となるように、ＵＬ及びＤＬのアクセス確率を制限することが有利である場合がある。つまり、チャネル使用量を制御するために、より高い柔軟性を与える必要がある（例えばTul＝T＊Pul）。また、競合確率が低くなることにより、ＭＡＣレイヤの遅延が小さくなる可能性がある。しかしながら、これは、一般に、利用可能なチャネル容量、特にそのＤＬ共有Tdlを減少させる。図６Ａ及び図６Ｂでは、Pul及びPdlの具体的な数字を用いて概念が示され、スループットの結果が示される。具体的には、図６ＡはPdlとPulの例示的な値を示し、図６Ｂは、Ｍｂｐｓ単位で単位当たりの平均スループットを示す。スループットの結果は（図５Ａ及び図５Ｂのように）同様のシナリオのパラメータを用いて得られた。更に、全体のスループットが低下するが、Tulの予測された値と得られた値との差も小さくなることが分かる。
【００２９】
上述したように、プレバックオフ確率（すなわちＵＬ／ＤＬ容量）は、各統合されたスモールセルに認められたトラフィックの長期的なニーズに基づいて設定することができる。なお、ｅＮＢ１０４のＲＲＣレイヤは、スモールセル１０２によってサポートされる無線ベアラの完全な知識を有してよく、ＷＬＡＮ容量は、既存のトラフィック需要に基づいて調整することができる。より一般的には、そのような確率は、Ｘ２インタフェースを介したネットワークにおける協働によって捉えることができ、確率は、ネットワークの全体的な競合／干渉を低減するように設定することができる。
【００３０】
一実施形態では、プレバックオフ確率は、動的過負荷検出に基づいて適合させることができる。トラフィックのタイプが異なる場合、リンクのピーク対平均使用率は異なる場合があり、ＵＬ／ＤＬ容量割当てを設定する際にいくつかのオーバープロビジョニングが発生する可能性がある。ＡＰ及びＵＬユーザーが概して低いトラフィック需要を有するケースでは、基本的なＷｉＦｉアクセス方式に戻ることが実現可能であるかもしれない。しかしながら、ＵＬ及びＤＬがより長い期間の高／低強度のトラフィック切替えを行う状況では（実生活の状況では一般的である）、本明細書で説明するような確率的アクセス及びプレバックオフ確率を用いてＵＬ／ＤＬ容量を割り当てることができる。容量の調整、或いは方式の切替えは、特定の伝送方向（ＵＬ／ＤＬ）上の過負荷がいつ発生したかを検出し、それに応じて負荷バランシング方式を有効化／無効化することを必要とする場合がある。
【００３１】
一実施形態では、過負荷は、チャネルの平均コリジョン率を示すために、二進指数バックオフ（ＢＥＢ）ウィンドウサイズ（又はＢＥＢステージ）を用いて検出される。例えば、ＢＥＢウィンドウサイズがシーケンスの回数についてのいくつかの閾値よりも大きいとき、ＷｉＦｉ  ＡＰは、それぞれの制御ユニット（例えばＭＲＣＦ制御ユニット）にこれを報告することができる。制御ユニットは、（例えばＬＴＥインタフェースを介して）ＵＥにPulを低減させるように命令することができる。この方式の欠点のひとつは、このような緊密な調整や情報交換が現在のＷＬＡＮ  ＡＰ／基地局（ＳＴＡ）の実装では容易に利用可能ではないかもしれないことである。
【００３２】
いくつかの実施形態では、システム及び方法は、確率的方式の性能を改善するために、干渉条件に適合するように構成されてよい。例えば、干渉のタイプや発生源に基づいて、システムの全体の干渉を、ネットワーク制御された干渉か制御されていない干渉のいずれかとして分類することができる。ネットワーク制御された干渉は、ネットワークによって制御され且つ同一又は類似のＵＬ／ＤＬアクセス方式を採用している隣接するスモールセルによって生成される。従来のＷｉＦｉの欠点のひとつは、同じチャネル上で動作する隣接するスモールセルが実際には単一のコリジョンドメインに属することである。つまり、実際には、ＭＡＣ競合に参加するユーザー数が増大し、チャネルにアクセスする実際の確率は異なるセル間のPulの和に依存する。このケースでは、ノードのコリジョンドメインを知っているセルラＬＴＥネットワークは、１つのコリジョンドメイン内のユーザーに、最大／最小負荷のＡＰのスループット要件を満たすためにそれらの確率を低減するように命令することができる。
【００３３】
図７Ａ及び７Ｂは、確率を低下させるためのスモールセル間の調整の一実施形態を示す。図７Ａは、第１のスモールセル７０２が、１以上の第２のＵＥ７０８と通信する第２のスモールセル７０６に近接する１以上の第１のＵＥ７０４と通信することを示す。実線の信号７１０は、信号が特定のスモールセルに対するものであることを示し、破線の信号７１２は干渉を示す。図示のように、第１のＵＥ７０４はPul値Pul＝０．１を用いており、第２のＵＥ７０８はPul値Pul＝０．３を用いている。第１のＵＥ７０４と第２のＵＥ７０８が同じコリジョンドメインの一部であるので、これは、効果的な全体の合計Pul、Pul＝０．４につながる。一実施形態では、このPul値は所望の値より高くてよい。よって、近隣するスモールセル７０２，７０６は、合計Pul値について合意するように互いに調整することができる。例えば、スモールセル７０２，７０６は、そのスループット要件を報告してよい。例えば、第１のスモールセル７０２は、その全体Pul値が最大で０．１でなければならないことを示してよく、第２のスモールセル７０６は、その全体的Pul値が最大で０．４でなければならないことを示してよい。図７Ｂは、合計PulがSum  Pul＝min（０．１，０．３）＝０．１となることで合意されたことを示す。更新されたPul値は、制御メッセージにおいてＵＥ７０４，７０８に伝達される。よって、図示のように、第１のＵＥ７０４と第２のＵＥ７０８の両方は、０．０５以下のＰ値を割り当てられる。
【００３４】
一方、制御されていない干渉では、干渉はＷｉＦｉの「不正」ノード（３ＧＰＰネットワークによって制御されていないか、或いは部分的にしか制御されていないノード）によって生成され、これは確率的アクセスのサポートがない場合がある（例えば、本明細書中で提案されているようにＷｉＦｉ上の任意のＵＬ／ＤＬ制御をサポートしていない）。この種の干渉を制御することはできない。よって、全体的なネットワーク内のＷＬＡＮ容量の大幅な低下は、不正なＷＬＡＮ干渉の存在下で発生し得る。一実施形態では、システムは、不正なＷＬＡＮ干渉の存在下において確率的方式を適合させることができる。例えば、一部のトラフィックが３ＧＰＰリンクに移動されてよい。しかしながら、統合マルチＲＡＴネットワークの３ＧＰＰリンクを介する連携により、ネットワーク内競合を何らかの所望の目標レベルにまで管理することはできるが（上記のように）、不正な干渉を管理することができず、不正な干渉は個別に検出及び対処されなければならない。
【００３５】
一実施形態では、システムは、ＷＬＡＮネットワーク内の競合がいつ目標の設定レベルを超えたのかを検出するために、過負荷検出及び制御機構と併せて確率的方式を採用することができる。所望のリンク上の断続的なトラフィックが原因で所望の容量が十分に活用されていない場合、不正な干渉によって使用される過剰容量によりパフォーマンスが低下する可能性は低い。これを図８Ａ及び図８Ｂに示す。図中、所望のリンクと不正な干渉リンクの両方が、非フルバッファトラフィック（例えば、ファイル転送プロトコル（ＦＴＰ）トラフィック）を送信するが、過負荷の状況はない。不正な干渉により目標の設定システム容量を超える過負荷状態が発生した場合、システムは過負荷状態を検出する必要がある。例えば、パケットが一気に到着した場合に負荷のピークを検出することができ、  ＤＬ送信に高負荷と低負荷の期間が形成される。図９に、自動負荷バランシングを用いるシステムの近似的グラフィカルモデルを示す。
【００３６】
過負荷が検出された状況において、過負荷はトラフィックの一部（又はＵＥの一部）をＬＴＥリンクにオフロードすることによって、軽減することができる。例えば、過負荷は、ＬＴＥネットワークへの一部のフローを移動したり、一部のユーザーをスロットリングする（又は、一部のユーザーについてスループットを低減する）ことによって、緩和することができる。ＵＬ又はＤＬのユーザーに対して最低限のビットレート要件Tminが設定され、且つ推定されたチャネル容量(Pul／Pdl及びTに基づく）がTminよりも小さい場合には、ユーザー又はネットワークは、スループットを低減するよりも、セルラネットワークに切り替えることを好むかもしれない。
【００３７】
図１０は、ＵＬ／ＤＬの負荷を制御するためのいくつかのコンポーネントを示す、スモールセル１０２の概略ブロック図である。スモールセル１０２のいくつかの構成要素は、本開示を不明瞭にすることを避けるために図示されない。スモールセル１０２は、通信セッションコンポーネント１００２、確率コンポーネント１００４、構成コンポーネント１００６、輻輳コンポーネント１００８及び調整コンポーネント１０１０を備える。コンポーネント１００２〜１０１０は例として与えられるものに過ぎず、全部が全ての実施形態に含まれなくてもよい。コンポーネント１００２〜１０１０の各々は、ｅＮＢ、ＭＲＣＦ制御ユニット及びＷＬＡＮ  ＡＰのうち１以上に含まれてよく、或いは実現されてよい。一実施形態では、スモールセル１０２は、１以上のＵＥ又はＡＰについて確率的アクセス方式を決定及び構成するように構成される。
【００３８】
通信セッションコンポーネント１００２は、１以上のＵＥとの通信セッションを確立及び／又は維持するように構成される。一実施形態では、通信セッションコンポーネント１００２は、２以上のＲＡＴを用いて、ＵＥと通信セッションを確立してよい。例えば、通信セッションコンポーネント１００２は、３ＧＰＰリンク及び非３ＧＰＰリンク（例えばＷｉＦｉ）を用いて、ＵＥと通信セッションを確立してよい。
【００３９】
確率コンポーネント１００４は、ＵＥが非３ＧＰＰ  ＡＰと通信する最大プレバックオフ確率を決定するように構成される。一実施形態では、最大プレバックオフ確率は、ＵＥがアップリンク（ＵＬ）方向で非３ＧＰＰ  ＡＰにデータを送信できる最大確率を示す。例えば、確率コンポーネント１００４は、本開示に提供される教示のうちいずれかに従ってPul値を決定してよい。一実施形態では、確率コンポーネント１００４は、ＤＬ方向について最大プレバックオフ確率を決定してもよい。一実施形態では、確率コンポーネント１００４は、スモールセル１０２と通信する各ＵＥについてプレバックオフ確率を決定する。一実施形態では、確率コンポーネント１００４は、各ＵＥの通信需要又はトラフィックフローに基づいてプレバックオフ確率を決定する
構成コンポーネント１００６は、１以上のＵＥに対するＵＬ／ＤＬ負荷制御方式の１以上の詳細情報を提供するように構成される。例えば、構成コンポーネント１００６は、ＵＬプレバックオフ確率値、ＤＬプレバックオフ確率値、プレバックオフ期間の長さ等を、１以上の接続されたＵＥに提供してよい。一実施形態では、構成コンポーネント１００６は、最大プレバックオフ確率を示すＲＲＣメッセージをＵＥに送信する。プレバックオフ確率は、ＵＥが最大プレバックオフ確率に基づいて、ＵＥが少なくともプレバックオフ継続時間（プレバックオフ期間）において伝送の競合を遅延させるべきか否かを決定する際に用いられてよい。
【００４０】
一実施形態では、構成コンポーネント１００６は、１以上の追加の最大プレバックオフ確率を１以上の追加のＵＥに送信してよい。１つのＵＥの最大プレバックオフ確率は、別のＵＥの最大プレバックオフ確率と異なる値を有しても有さなくてもよい。一実施形態では、構成コンポーネント１００６は、非３ＧＰＰネットワーク（例えばＷＬＡＮ）に対する現在の負荷に基づいて、プレバックオフ継続時間を設定するように構成される。一実施形態では、構成コンポーネントは、単一のＵＥに最大ＵＬプレバックオフ確率及び最大ＤＬプレバックオフ確率を提供してよい。一実施形態では、最大ＤＬプレバックオフ確率と最大ＵＬプレバックオフ確率の合計は、１００％に対応する。
【００４１】
輻輳コンポーネント１００８は、ＷＬＡＮその他の非３ＧＰＰネットワークに対する輻輳又は過負荷を検出するように構成される。一実施形態では、輻輳コンポーネント１００８は、セルラネットワークの仮想キャリアとして用いられる任意のネットワークに対する輻輳又は過負荷を検出してよい。例えば、輻輳コンポーネント１００８は、図９に示されるように過負荷を検出してよい。一実施形態では、輻輳コンポーネント１００８は、閾値を超えるＢＥＢウィンドウサイズに基づいて輻輳又は過負荷を検出する。一実施形態では、輻輳コンポーネント１００８は更に、仮想キャリアネットワークから（例えば図１のＷＬＡＮ  ＡＰから）ＢＥＢウィンドウサイズを受信するように構成される。一実施形態では、輻輳コンポーネント１００８は、輻輳を検出することに応答して、非３ＧＰＰＡＰ（例えばＷＬＡＮ  ＡＰ）から３ＧＰＰネットワーク（例えばｅＮＢ及び対応するライセンス周波数帯域）へトラフィックを移動するように構成される。一実施形態では、輻輳コンポーネント１００８は、隣接セル又は不正な（制御されていない）装置により任意の干渉が生じたか否かを決定するように構成される。
【００４２】
調整コンポーネント１０１０は、プレバックオフ確率を決定するために別のスモールセルと調整するように構成される。例えば、他のスモールセルは、近接するスモールセルのＷＬＡＮ  ＡＰが同じＷＬＡＮコリジョンドメインの一部となるように、近接してよい。一実施形態では、調整コンポーネント１０１０により、スモールセル１０２は、ｅＮＢ１０４のコリジョンドメインのトラフィックを減らすために隣接セルと調整することが可能になる。一実施形態では、調整コンポーネント１０１０は、スモールセル１０２とＷＬＡＮ使用量及びリソース要件を交換する。一実施形態では、確率コンポーネント１００４は、交換されたＷＬＡＮ使用量及びリソース要件に基づいて、最大プレバックオフ確率を決定するように構成される。
【００４３】
図１１は、ＵＬ／ＤＬの負荷を制御するためのいくつかのコンポーネントを示す、ＵＥ１０８の概略ブロック図である。ＵＥ１０８のいくつかの構成要素は、本開示を不明瞭にすることを避けるために図示されない。ＵＥ１０８は、通信コンポーネント１１０２、制御レイヤコンポーネント１１０４、データレイヤコンポーネント１１０６及び競合コンポーネント１１０８を備える。コンポーネント１１０２〜１１０８は例として与えられるものに過ぎず、全部が全ての実施形態に含まれなくてもよい。一実施形態では、ＵＥ１０８は、確率的アクセス方式に基づいてＷＬＡＮチャネルにアクセスするように構成される。コンポーネント１１０２〜１１０８の各々は、ＵＥ１０８と、ＭＲＣＦ制御ユニットと、ＵＥ１０８の他の標準化若しくは非標準化コンポーネントとのうち１以上に含まれてよく、或いは実現されてよい。
【００４４】
通信コンポーネント１１０２は、２つの異なるＲＡＴを用いてスモールセル１０２と通信するように構成される。例えば、通信コンポーネントにより、ＵＥ１０８は、ライセンス無線スペクトル及びアンライセンス無線スペクトルによりスモールセル１０２と通信する（又は通信セッションを確立する）ことができる。一実施形態では、通信コンポーネント１１０２は、ライセンス無線スペクトルにより制御レイヤデータの少なくとも一部を送受信し、アンライセンススペクトルによりユーザーレイヤデータの少なくとも一部を送受信する。一実施形態では、スモールセル１０２はｅＮＢ及びＷＬＡＮ  ＡＰを含んでよい。通信コンポーネント１１０２は、ＷＬＡＮ上の通信フローを制御するために、ｅＮＢから制御データを受信してよい。一実施形態では、通信コンポーネント１１０２は、ＵＥについてキューに入れられた送信があるか否かを決定してよい。例えば、通信コンポーネント１１０２は、ＵＥ１０８のアプリケーションその他のサービスが送信のためのＵＬ通信を有するか否かを決定してよい。
【００４５】
制御レイヤコンポーネント１１０４は、スモールセル１０２から制御レイヤ通信を受信するように構成される。一実施形態では、制御レイヤコンポーネント１１０４は、ライセンススペクトル上で、アンライセンススペクトルを用いて通信するための競合設定を受信するように構成される。例えば、制御レイヤコンポーネント１１０４は、ＷｉＦｉリンク上で１以上のＲＲＣメッセージ構成動作を受信してよい。競合設定は、アンライセンススペクトルによりＵＬ方向で通信する確率を示してよい。例えば、制御レイヤコンポーネント１１０４は、ｅＮＢとの３ＧＰＰ通信リンクを介して通信のためにＷＬＡＮにアクセスする最大確率を受信してよい。一実施形態では、制御レイヤコンポーネント１１０４は、ＵＬ確率の更新値を受信してよい。例えば、制御レイヤコンポーネント１１０４は、更新された最大確率を受信してよい。一実施形態では、制御レイヤコンポーネント１１０４は、アンライセンススペクトルによりＤＬ方向で通信する確率を含む競合設定を受信してよい（例えばＷＬＡＮ）。
【００４６】
データレイヤコンポーネント１１０６は、競合設定に基づいて仮想キャリアＲＡＴの通信を管理する。例えば、仮想キャリアＲＡＴは、ＷｉＦｉ等のＷＬＡＮのＲＡＴ、或いは、制御レイヤ通信を通信するために用いられるＲＡＴとは異なる別のＲＡＴを含んでよい。例えば、制御レイヤ通信は、３ＧＰＰ通信リンクを介して制御レイヤコンポーネント１１０４によって受信されてよく、ＷＬＡＮ通信リンクを介して１以上のデータフローが通信されてよい。
【００４７】
一実施形態では、データレイヤコンポーネント１１０６は、ＵＥがＵＬ方向に送信することを許可されるか否かを決定する。例えば、キューに入れられた送信があるという決定に応答して、データレイヤコンポーネント１１０６は、ＵＥがＷＬＡＮにアクセスすることを許可されるか否かを決定してよい。データレイヤコンポーネント１１０６は、スモールセル１０２から受信される確率（例えば制御レイヤコンポーネント１１０４によって受信された確率）以下の確率を用いて、ＵＥがネットワークにアクセスすることを許可されるか否かを決定してよい。一実施形態では、データレイヤコンポーネント１１０６は、乱数発生器その他のランダムアルゴリズムを用いて、ＵＥ１０８が送信することを許可されるか否かを確認してよい。ＵＥ１０８が送信することを許可されたとデータレイヤコンポーネント１１０６が決定した場合、ＵＥ１０８は、ＷＬＡＮその他のネットワークにアクセスするためのアクセス手続きを開始してよい。
【００４８】
ＵＥ１０８が許可されないとデータレイヤコンポーネント１１０６が決定した場合、データレイヤコンポーネント１１０６は、再度チャネルへのアクセスを試みる前にプレバックオフ期間を待機してよい。例えば、データレイヤコンポーネント１１０６は、ＵＥ１０８が現在アクセスを許可されているか否かを確認するために、再度確率を評価してよい。データレイヤコンポーネント１１０６によって評価された確率は、それが遅延されたＵＬ送信（又は他の送信）の確率であるという点で、プレバックオフ確率として説明することができる。上述のように、プレバックオフ期間又は継続時間は、チャネルの使用量を最適化するように選択されてよい。例えば、プレバックオフ期間は、前の送信が終了した後にデータレイヤコンポーネント１１０６が再試行できるようにする一定値であってよい。一実施形態では、プレバックオフ期間は、ＷＬＡＮ上の最大ＭＡＣ送信継続時間に対応する期間である。
【００４９】
一実施形態では、データレイヤコンポーネント１１０６は、スモールセル１０２から受信された最大確率に基づいて、プレバックオフ確率を決定してよい。例えば、スモールセル１０２から受信された確率は、ＵＥ１０８がより低い確率を選択できるようにしながら、最大確率として処理されてよい。一実施形態では、データレイヤコンポーネント１１０６は、ＷＬＡＮ上の輻輳と、データストリームのＱｏＳ要件と、ＵＥ１０８の１以上のアプリケーションの現在の通信需要とのうち１以上に基づいて、より低い確率を決定する。例えば、ＵＥ１０８は、ＷＬＡＮが輻輳していると決定することができるので、ウェブブラウジング等のＱｏＳの低いデータを通信している場合に、確率を下げることができる。同様に、ＵＥ１０８上のアプリケーションのデータ要件又は需要が低いとデータレイヤコンポーネント１１０６が決定した場合、データレイヤコンポーネント１１０６は、独立して、ネットワークの負荷を軽減するために低い確率を選択してよい。一実施形態では、データレイヤコンポーネント１１０６は、更新又は修正された確率を用いて、ＵＥ１０８がチャネルにアクセスすることを許可されるか否かを決定してよい。
【００５０】
競合コンポーネント１１０８は、仮想キャリアとして用いられるＷＬＡＮその他のＲＡＴへのアクセスのために競合するように構成される。一実施形態では、データレイヤコンポーネント１１０６は競合コンポーネント１１０８を有してよい。例えば、競合コンポーネント１１０８は、ＵＥ１０８がＷＬＡＮにアクセスすることを許可されるとデータレイヤコンポーネント１１０６が決定したことに応答して、アクセスのために競合してよい。一実施形態では、競合コンポーネント１１０８は、任意の期間中にＵＬ又はＤＬ通信のために競合してよい。例えば、競合コンポーネント１１０８は、ＤＬ又はＵＬ通信のいずれかを送信することができる共有期間中にアクセスのために競合してよい。
【００５１】
図１２は、ＵＬ／ＤＬの負荷バランシング方式の構成及び動作に関する例示的方法１２００を示す概略フローチャートである。方法１２００は、ＵＥ１０８、第１及び第２のスモールセル１０２ａ，１０２ｂ、並びにＥＰＣを含む。
【００５２】
方法１２００が開始し、１２０２で通信セッションが確立される。一実施形態では、ＵＥ１０８は、通信セッションを確立するためにスモールセル１０２ａと通信する。一実施形態では、スモールセル１０２ａは、１以上のベアラを確立するためにＥＰＣに対応する。一実施形態では、通信セッションは、第１のＲＡＴを用いる通信リンクと、第２のＲＡＴを用いる異なる通信リンクを含んでよい。例えば、通信セッションは、ｅＮＢとのリンク及びＷＬＡＮ  ＡＰとのリンクを含んでよい。
【００５３】
１２０４では、スモールセル１０２ａ，１０２ｂが、ＷＬＡＮ使用量及びリソース要件に関する情報を交換する。例えば、スモールセル１０２ａ及びスモールセル１０２ｂは、同じ衝突ドメイン内にあるＷＬＡＮ  ＡＰを含んでよい。一実施形態では、ＷＬＡＮの使用情報、スループット要件等の交換は、ＵＬ又はＤＬ確率が設定された後も、定期的に発生する。
【００５４】
１２０６では、スモールセル１０２ａのｅＮＢが、ＵＥ１０８に割り当てられるＷＬＡＮリソースを決定する。例えば、ｅＮＢは、ＵＥ１０８のデータフローの通信要件（ＱｏＳを含む）の知識を有してよい。接続されたＵＥの数、他方のスモールセル１０２ｂのＷＬＡＮ使用量及び／又は他の情報だけでなく、この知識にも基づいて、ｅＮＢは、ＷＬＡＮリソースのどの部分をＵＥ１０８に割り当てるかを決定する。リソース割当ては、ＵＬ通信とＤＬ通信のうち１以上に対する制限を含んでよい。
【００５５】
１２０８では、スモールセル１０２ａが、ｅＮＢを介して、最大アクセス確率P-WLAN-Maxを含むRRC  ConnectionReconfigurationメッセージをＵＥ１０８に送信する。一実施形態では、P-WLAN-MaxはＵＬ確率とＤＬ確率のうち１以上を含んでよい。１２１０では、ＵＥ１０８が、プレバックオフ確率P-WLANに基づいて、ＷＬＡＮ通信にプレバックオフ遅延を適用する。P-WLANはP-WLAN-Max以下である。例えば、ＵＥ１０８は、確率P-WLANで、少なくともプレバックオフ期間において各ＵＬ伝送を遅延させてよい。
【００５６】
１２１２では、ｅＮＢは、P-WLAN-Maxの更新された値を決定する。例えば、P-WLAN-Maxの更新された値は、接続されたＵＥの数、干渉又は近接するスモールセル１０２ｂに対する負荷の変化を反映することができる。１２１４では、ｅＮＢは、RRC  ConnectionReconfigurationメッセージの一部として更新されたP-WLAN-Maxを送信する。
【００５７】
１２１６では、ＵＥ１０８が、P-WLAN値がP-WLAN-Max未満である限りは、スモールセル１０２ａから独立して、P-WLAN値を下げるか別の方法で調整してよい。例えば、ＵＥ１０８は、変化する通信要件に適応してよい。例えば、ＵＥ１０８は、輻輳又はＵＥ１０８上のアプリケーションのＱｏＳ要件に基づいて、局所的にP-WLANを下げてよい。
【００５８】
図１３は、ＵＥ、移動局（ＭＳ）、モバイル無線装置、モバイル通信装置、タブレット、ハンドセットその他の種類の無線装置等の、モバイルデバイスの例示的な図を提供する。モバイルデバイスは、ノード、マクロノード、低電力ノード（ＬＰＮ）又は送信局（例えば、基地局（ＢＳ）、ベースバンドユニット（ＢＢＵ）、リモート無線ヘッド（ＲＲＨ）、遠隔無線機器（ＲＲＥ）、中継局（ＲＳ）、無線機器（ＲＥ）又は別の種類の無線広域ネットワーク（ＷＷＡＮ）ＡＰ）と通信するように構成される１以上のアンテナを備えてよい。モバイルデバイスは、３ＧＰＰ  ＬＴＥ、ＷｉＭＡＸ、高速パケットアクセス（ＨＳＰＡ）、Ｂｌｕｅｔｏｏｔｈ、ＷｉＦｉ等の、少なくとも１つの無線通信規格を用いて通信するように構成されてよい。モバイルデバイスは、無線通信規格ごとに別々のアンテナを用いて通信してよく、或いは、複数の無線通信規格について共有アンテナを用いて通信してよい。モバイルデバイスは、ＷＬＡＮ、無線パーソナルエリアネットワーク（ＷＰＡＮ）及び／又はＷＷＡＮで通信してよい。
【００５９】
また、図１３は、モバイルデバイスからの音声入力及び出力のために利用可能なマイクと１以上のスピーカーの図を提供する。表示画面は、液晶ディスプレイ（ＬＣＤ）画面、又は有機発光ダイオード（ＯＬＥＤ）ディスプレイ等の他の種類の表示画面であってよい。表示画面はタッチスクリーンとして構成されてよい。タッチスクリーンは、容量型、抵抗型その他の種類のタッチスクリーン技術を採用してよい。アプリケーションプロセッサ及びグラフィックプロセッサは、処理機能及び表示機能を提供するために内部メモリに結合されてよい。不揮発性メモリポートは、ユーザーへのデータ入出力オプションを提供するために用いられてよい。不揮発性メモリポートは、モバイルデバイスのメモリ機能を拡張するために用いられてもよい。キーボードは、追加のユーザー入力を提供するために、モバイルデバイスと一体化されてよく、或いは無線でモバイルデバイスに接続されてよい。タッチスクリーンを用いて仮想キーボードが提供されてもよい。
【００６０】
例
以下の例は、更なる実施形態に関連する。
【００６１】
例１は、通信のためにＷＬＡＮにアクセスする最大確率を受信するように構成されるＵＥである。最大確率は、ｅＮＢとの３ＧＰＰ通信リンクを介して受信される。ＵＥは、当該ＵＥのためにキューに入れられた送信があることを決定するように構成される。キューに入れられた送信があるという決定に応答して、ＵＥは、当該ＵＥが最大確率以下の確率を用いてＷＬＡＮへのアクセスを許可されるか否かを決定し、当該ＵＥが許可されないという決定に応答して、少なくともプレバックオフ継続時間においてＷＬＡＮへのアクセスの競合を遅らせるように構成される。
【００６２】
例２では、例１のＵＥは更に、更新された最大確率を受信するように構成される。ＵＥがＷＬＡＮへのアクセスを許可されるか否かを決定する工程は、更新された最大確率に基づいて決定する工程を含む。
【００６３】
例３では、例１又は例２のプレバックオフ継続時間は、ＷＬＡＮ上のＭＡＣ送信継続時間に対応する期間を含む。
【００６４】
例４では、例１〜３のいずれかのＵＥは更に、プレバックオフ継続時間の終わりに再度ＵＥがＷＬＡＮにアクセスすることを許可されるか否かを決定するように構成される。
【００６５】
例５では、例１〜４のいずれかのＵＥは、当該ＵＥが許可されるという決定に応答して、ＷＬＡＮへのアクセスのために競合するように構成される。
【００６６】
例６では、例１〜５のいずれかのＷＬＡＮは無線アクセスポイントを含み、ＵＥは更に、ｅＮＢ及び無線アクセスポイントを含むスモールセルとの通信セッションを確立するように構成される。
【００６７】
例７では、例１〜６のいずれかのＵＥは更に、ＷＬＡＮでの輻輳と、データストリームのサービス品質の要件と、当該ＵＥの１以上のアプリケーションの現在の通信需要とのうち１以上に基づいて、上記確率を決定するように構成される。上記確率は最大確率以下である。
【００６８】
例８は、通信コンポーネント、制御レイヤコンポーネント及びデータレイヤコンポーネントを備える無線通信装置である。通信コンポーネントは、ライセンス無線スペクトル及びアンライセンス無線スペクトルによりスモールセルと通信するように構成される。スモールセルとの通信は、ライセンス無線スペクトルにより制御レイヤデータの少なくとも一部を伝達することと、アンライセンススペクトルによりユーザーレイヤデータの少なくとも一部を伝達することとを含む。制御レイヤコンポーネントは、ライセンススペクトル上で、アンライセンススペクトルを用いる通信の競合設定を受信するように構成される。競合設定は、アンライセンススペクトルによりＵＬ方向で通信する確率を含む。データレイヤコンポーネントは、競合設定に基づいて、アンライセンススペクトルによる通信を管理するように構成される。
【００６９】
例９では、例８のデータレイヤコンポーネントは、上記確率に基づいて無線通信装置がアンライセンススペクトルへのＵＬアクセスのために競合することを許可されるか否かを決定するように構成される。
【００７０】
例１０では、例９のデータレイヤコンポーネントは更に、無線通信装置がＵＬアクセスのために競合することを許可されないという決定に応答して、プレバックオフ継続時間を待った後に再度無線通信装置が許可されるか否かを決定するように構成される。
【００７１】
例１１では、例９〜１０のいずれかのデータレイヤコンポーネントは更に、無線通信装置がＵＬアクセスのために競合することを許可されるという決定に応答して、ＵＬアクセスのために競合するように構成される。
【００７２】
例１２では、例８〜１１のいずれかの制御レイヤコンポーネントは更に、ライセンススペクトル上で、アンライセンススペクトルによりＤＬ方向で通信する確率を含む競合設定を受信するように構成される。
【００７３】
例１３では、例８〜１２のいずれかのデータレイヤコンポーネントは、共有期間中に確率的アクセスに基づいてＵＬ及びＤＬ通信のアクセスのために競合するように構成される。
【００７４】
例１４は、通信セッションコンポーネント、確率コンポーネント及び構成コンポーネントを備えるｅＮＢである。通信セッションコンポーネントは、３ＧＰＰリンクを介してＵＥと通信セッションを確立するように構成される。確率コンポーネントは、ＵＥについて非３ＧＰＰアクセスポイントと通信する最大プレバックオフ確率を決定するように構成される。最大プレバックオフ確率は、ＵＥがＵＬ方向で非３ＧＰＰアクセスポイントにデータを送信できる最大確率を示す。構成コンポーネントは、ＵＥに対して最大プレバックオフ確率を示すＲＲＣメッセージを送信するように構成される。ＵＥは、最大プレバックオフ確率に基づいて、該ＵＥが少なくともプレバックオフ継続時間において送信の競合を遅らせるべきか否かを決定するように構成される。
【００７５】
例１５では、例１４の最大プレバックオフ確率は第１の最大プレバックオフ確率を含む。通信セッションコンポーネントは更に、１以上の追加のＵＥと追加の通信セッションを確立するように構成される。構成コンポーネントは、１以上の追加のＵＥに対して１以上の追加の最大プレバックオフ確率を含む追加のＲＲＣメッセージを送信するように構成される。
【００７６】
例１６では、例１５の１以上の追加の最大プレバックオフ確率は、最大プレバックオフ確率とは異なる確率を含む。
【００７７】
例１７では、例１４〜１６のいずれかの構成コンポーネントは、非３ＧＰＰネットワークに対する負荷に基づいて、プレバックオフ継続時間を設定するように構成される。
【００７８】
例１８では、例１４〜１７のいずれかのｅＮＢは更に、３ＧＰＰアクセスポイントに対応するネットワーク上の輻輳を検出するように構成される輻輳コンポーネントを備える。
【００７９】
例１９では、例１４〜１８のいずれかの輻輳コンポーネントは、閾値を超えるＢＥＢウィンドウサイズに基づいて、輻輳を検出するように構成される。
【００８０】
例２０では、例１４〜１９のいずれかの輻輳コンポーネントは、輻輳コンポーネントが輻輳を検出することに応答して、非３ＧＰＰアクセスポイントから３ＧＰＰネットワークへトラフィックを移動するように構成される。
【００８１】
例２１では、例１４〜２０のいずれかの輻輳コンポーネントは、近接するセルによって任意の干渉が発生しているか否かを決定するように構成される。ｅＮＢは更に、当該ｅＮＢのコリジョンドメイン内のトラフィックを低減するように近接するセルと調整するように構成される調整コンポーネントを備える。
【００８２】
例２２は、競合管理の方法である。本方法は、ＵＥが、通信のためにＷＬＡＮにアクセスする最大確率を受信するステップを含む。最大確率は、ｅＮＢとの３ＧＰＰ通信リンクを介して受信される。本方法は、ＵＥのためにキューに入れられた送信があることを決定するステップを含む。本方法は、キューに入れられた送信があるという決定に応答して、ＵＥが最大確率以下の確率を用いてＷＬＡＮへのアクセスを許可されるか否かを決定するステップを含む。本方法は、ＵＥが許可されないという決定に応答して、少なくともプレバックオフ継続時間においてＷＬＡＮへのアクセスの競合を遅らせるステップを含む。
【００８３】
例２３では、例２２の方法は更に、更新された最大確率を受信するステップを含む。ＵＥがＷＬＡＮへのアクセスを許可されるか否かを決定する工程は、更新された最大確率に基づいて決定するステップを含む。
【００８４】
例２４では、例２２又は例２３のプレバックオフ継続時間は、ＷＬＡＮ上の最大ＭＡＣ送信継続時間に対応する期間を含む。
【００８５】
例２５では、例２２〜２４のいずれかの方法は更に、プレバックオフ継続時間の終わりに再度ＵＥがＷＬＡＮへのアクセスを許可されるか否かを決定するステップ、を含む。
【００８６】
例２６では、例２２〜２５のいずれかの方法は更に、ＵＥが許可されるという決定に応答して、ＷＬＡＮへのアクセスのために競合するステップ、を含む。
【００８７】
例２７では、例２２〜２６のいずれかのＷＬＡＮは無線アクセスポイントを含む。本方法は更に、ｅＮＢ及び無線アクセスポイントを含むスモールセルと通信セッションを確立するステップ、を含む。
【００８８】
例２８では、例２２〜２７のいずれかの方法は更に、ＷＬＡＮでの輻輳と、データストリームのサービス品質の要件と、ＵＥの１以上のアプリケーションの現在の通信需要とのうち１以上に基づいて、確率を決定するステップ、を含む。上記確率は最大確率以下である。
【００８９】
例２９は、競合管理の方法である。本方法は、無線通信装置が、ライセンス無線スペクトル及びアンライセンス無線スペクトルによりスモールセルと通信するステップを含む。スモールセルとの通信は、ライセンス無線スペクトルにより制御レイヤデータの少なくとも一部を伝達することと、アンライセンススペクトルによりユーザーレイヤデータの少なくとも一部を伝達することとを含む。本方法は、ライセンススペクトル上で、アンライセンススペクトルを用いる通信の競合設定を受信するステップであって、競合設定は、アンライセンススペクトルによりアップリンク（ＵＬ）方向で通信する確率を含む、ステップ、を含む。本方法は、競合設定に基づいて、アンライセンススペクトルによる無線通信装置での通信を管理するステップ、を含む。
【００９０】
例３０では、例２９の方法は更に、確率に基づいて、無線通信装置がアンライセンススペクトルへのＵＬアクセスのために競合することを許可されるか否かを決定するステップ、を含む。
【００９１】
例３１では、例２９〜３０のいずれかの方法は更に、無線通信装置がＵＬアクセスのために競合することを許可されないという決定に応答して、プレバックオフ継続時間を待った後に再度無線通信装置が許可されるか否かを決定するステップ、を含む。
【００９２】
例３２では、例２９〜３１のいずれかの方法は更に、無線通信装置がＵＬアクセスのために競合することを許可されるという決定に応答して、ＵＬアクセスのために競合するステップ、を含む。
【００９３】
例３３では、例２９〜３２のいずれかの方法は更に、ライセンススペクトル上で、アンライセンススペクトルによりＤＬ方向で通信する確率を含む競合設定を受信するステップ、を含む。
【００９４】
例３４では、例２９〜３３のいずれかの方法は更に、共有期間中に確率的アクセスに基づいてＵＬ及びＤＬ通信のアクセスのために競合するステップ、を含む。
【００９５】
例３５は、競合管理の方法である。本方法は、ｅＮＢが、３ＧＰＰリンクを介してＵＥと通信セッションを確立するステップを含む。本方法は、ＵＥについて非３ＧＰＰアクセスポイントと通信する最大プレバックオフ確率を決定するステップを含む。最大プレバックオフ確率は、ＵＥがＵＬ方向で非３ＧＰＰアクセスポイントにデータを送信できる最大確率を示す。本方法は、ＵＥに対して最大プレバックオフ確率を示すＲＲＣメッセージを送信するステップを含む。ＵＥは、最大プレバックオフ確率に基づいて、該ＵＥが少なくともプレバックオフ継続時間において送信の競合を遅らせるべきか否かを決定するように構成される、ステップを含む。
【００９６】
例３６では、例３５の最大プレバックオフ確率は第１の最大プレバックオフ確率を含む。本方法は更に、１以上の追加のＵＥと追加の通信セッションを確立するステップと、１以上の追加のＵＥに対して１以上の追加の最大プレバックオフ確率を含む追加のＲＲＣメッセージを送信するステップと、を含む。
【００９７】
例３７では、例３６の１以上の追加の最大プレバックオフ確率は、最大プレバックオフ確率とは異なる確率を含む。
【００９８】
例３８では、例３５〜３７のいずれかの方法は更に、非３ＧＰＰネットワークに対する負荷に基づいてプレバックオフ継続時間を設定するステップを含む。
【００９９】
例３９では、例３５〜３８のいずれかの方法は更に、３ＧＰＰアクセスポイントに対応するネットワーク上の輻輳を検出するステップを含む。
【０１００】
例４０では、例３５〜３９のいずれかにおける輻輳の検出は、閾値を超えるＢＥＢウィンドウサイズに基づいて輻輳を検出するステップを含む。
【０１０１】
例４１では、例３５〜４０のいずれかの方法は更に、輻輳コンポーネントが輻輳を検出することに応答して、非３ＧＰＰアクセスポイントから３ＧＰＰネットワークへトラフィックを移動させるステップを含む。
【０１０２】
例４２では、例３５〜４１のいずれかの方法は更に、近接するセルによって任意の干渉が発生しているか否かを決定するステップと、ｅＮＢのコリジョンドメイン内のトラフィックを低減するように近接するセルと調整するステップと、を含む。
【０１０３】
例４３は、例２２〜４２のいずれかの方法を実行する手段を備える装置である。
【０１０４】
例４４は、実行されると方法を実施するか又は例２２〜４３のいずれかの装置を実現する機械可読命令を備える機械可読記憶装置である。
【０１０５】
様々な技術（或いは、それらの特定の態様若しくは部分）は、フロッピーディスケット、ＣＤ−ＲＯＭ、ハードドライブ、非一時的コンピューター可読記憶媒体その他の機械可読記憶媒体等の、有形の媒体に具現化されるプログラムコード（すなわち命令）の形態をとることができる。プログラムコードが機械（例えばコンピューター）によってロードされ実行されるとき、該機械は、様々な技術を実施する装置となる。プログラム可能なコンピューター上でプログラムコードを実行する場合、コンピューティングデバイスは、プロセッサ、プロセッサによって読み取り可能な記憶媒体（揮発性及び不揮発性メモリ並びに／又は記憶要素を含む）、少なくとも１つの入力装置及び少なくとも１つの出力装置を含んでよい。揮発性及び不揮発性メモリ並びに／又は記憶要素は、ＲＡＭ、ＥＰＲＯＭ、フラッシュドライブ、光学ドライブ、磁気ハードドライブその他の、電子データを記憶するための媒体であってよい。ｅＮＢ（又は他の基地局）とＵＥ（又は他の移動局）は、トランシーバコンポーネント、カウンタコンポーネント、処理コンポーネント及び／又はクロックコンポーネント若しくはタイマコンポーネントを含んでもよい。本明細書に記載の様々な技術を実施又は利用することができる１以上のプログラムは、アプリケーション・プログラミング・インタフェース（ＡＰＩ）、再利用可能制御部等を用いることができる。このようなプログラムは、コンピュータシステムと通信するために、高水準手続き型又はオブジェクト指向型のプログラミング言語で実装されてよい。しかしながら、必要であれば、プログラムは、アセンブリ又はマシン言語で実装されてよい。いずれの場合も、言語はコンパイル型又はインタープリタ型の言語であってよく、ハードウェア実装と組み合わせられてよい。
【０１０６】
なお、本明細書に記載の機能ユニットの多くは１以上のコンポーネントとして実装することができ、これは、その実装の独立性をより具体的に強調するために用いられる用語である。例えば、コンポーネントは、カスタム超大規模集積（ＶＬＳＩ）回路又はゲートアレイを含むハードウェア回路、既製の半導体（例えば論理チップ、トランジスタ）、その他のディスクリート部品として実装されてよい。また、コンポーネントは、フィールド・プログラマブル・ゲート・アレイ、プログラマブル・アレイ・ロジック、プログラマブル・ロジック・デバイス等のプログラマブルハードウェアデバイスに実装されてもよい。
【０１０７】
コンポーネントはまた、様々なタイプのプロセッサによって実行されるソフトウェアで実装されてもよい。実行可能コードの識別されたコンポーネントは、例えば、コンピューター命令の１以上の物理ブロック又は論理ブロックを含んでよく、例えば、オブジェクト、プロシージャ又は関数として編成されてよい。そうは言うものの、識別されたコンポーネントの実行ファイルは、物理的に一緒に配置される必要はなく、一緒に論理的に接合されたときに該コンポーネントを含み該コンポーネントの上述の目的を達成する、異なる場所に保存されたヘテロジニアスの命令を含んでよい。
【０１０８】
実際、実行コードのコンポーネントは、単一の命令又は多数の命令であってよく、異なるプログラム間で、いくつかのメモリデバイスにわたりいくつかの異なるコードセグメントに分散されてもよい。同様に、本明細書では、コンポーネント内で動作データが識別され示されてよいが、任意の適切な形態で具現化され、任意の適切なタイプのデータ構造内に編成されてよい。動作データは、単一のデータセットとして収集されてよく、或いは、異なる記憶装置等の異なる場所に分散されてよく、或いは、少なくとも部分的に単に電子信号として、システム又はネットワーク上に存在してよい。コンポーネントは、所望の機能を実行するように動作可能なエージェント等、受動的であっても能動的であってもよい。
【０１０９】
この明細書を通じて「例」という場合、その例に関連して記載された特定の特徴、構造又は特性が本開示の少なくとも１つの実施形態に含まれることを意味する。よって、本明細書全体を通して様々な箇所に「一例において」という語句が現れるが、必ずしも全てが同じ実施形態を指すものではない。
【０１１０】
本明細書で使用される場合、複数の項目、構造要素、組成要素及び／又は材料は、便宜上、共通のリスト内に提示される場合がある。しかしながら、そのようなリストは、そのリストの各項目が独立した固有の項目として個々に同定されるものとして、解釈されるべきである。よって、そのようなリストの個々の項目は、単に反対の指示なしに共通のグループで提示されることに基づいて、同じリストの任意の他の項目の事実上の均等物として解釈されるべきではない。更に、本開示の様々な実施形態及び例は、その様々な構成要素の代替と共に本明細書で言及される場合がある。そのような実施の形態、例及び代替は、互いの事実上の均等物として解釈されるべきではなく、本開示の独立した自律的な表現として解釈されるべきであることが理解される。
【０１１１】
上記は明瞭にするために少し詳細に記載したが、その原理から逸脱することなく特定の変更及び改変がなされ得ることは明らかであろう。なお、本明細書に記載されるプロセスと装置の両方を実現する代替の方法は数多くある。したがって、本実施形態は、例示であって限定的なものではないとみなされるべきである。
【０１１２】
当業者には明らかであるように、本開示の基本原理から逸脱することなく、上述の実施形態の詳細に多くの変更がなされ得る。したがって、本開示の範囲は、以下の特許請求の範囲によってのみ決定されるべきである。
【図１】
0006306205.tif 000002
【図２】
0006306205.tif 000003
【図３】
0006306205.tif 000004
【図４Ａ】
0006306205.tif 000005
【図４Ｂ】
0006306205.tif 000006
【図５Ａ】
0006306205.tif 000007
【図５Ｂ】
0006306205.tif 000008
【図６Ａ】
0006306205.tif 000009
【図６Ｂ】
0006306205.tif 000010
【図７Ａ】
0006306205.tif 000011
【図７Ｂ】
0006306205.tif 000012
【図８Ａ】
0006306205.tif 000013
【図８Ｂ】
0006306205.tif 000014
【図９】
0006306205.tif 000015
【図１０】
0006306205.tif 000016
【図１１】
0006306205.tif 000017
【図１２】
0006306205.tif 000018
【図１３】
0006306205.tif 000019